(57)【要約】【課題】天板上で使用される電子機器に接続された配線ケーブルを体裁良く、かつ使い勝手良好に収容可能であるとともに、天板上面に広い執務用平面を確保しつつ執務サポート部を設置可能とした。【解決手段】天板１２の後方位置において、下方に凹んだ配線収容空間を形成する配線収容凹部と、配線収容凹部の上部開口部の少なくとも一部を閉塞し、左右方向に隣り合って配設された複数のカバー部材２０と、を備え、複数のカバー部材２０の上面には、執務サポート機能を有する係止穴２２やペントレー部材２３が設けられ、これら係止穴２２やペントレー部材２３が設けられたカバー部材２０は、取り付け位置を左右方向Ｄｈに変更可能に設けられた構成の天板付き什器を提供する。【選択図】図８
2019201739.tif 000002
【特許請求の範囲】
【請求項１】
床面上に立設された支持構造体と、該支持構造体に支持された平板上の天板と、を有する天板付き什器であって、
前記天板の後方位置において、下方に凹んだ配線収容空間を形成する配線収容凹部と、
前記配線収容凹部の上部開口部の少なくとも一部を閉塞し、左右方向に隣り合って配設された複数のカバー部材と、を備え、
前記複数のカバー部材のうち少なくとも一つの上面には、執務サポート機能を有する執務サポート部が設けられ、
前記執務サポート部が設けられたカバー部材は、取り付け位置を左右方向に変更可能に設けられていることを特徴とする天板付き什器。
【請求項２】
前記カバー部材は、平板状に形成され、一方の第１面には前記執務サポート部が設けられ、他方の第２面には前記執務サポート部が設けられていない状態とされ、前記第１面及び前記第２面のどちらの面も上方に向けて取り付けることが可能に設けられていることを特徴とする請求項１に記載の天板付き什器。
【請求項３】
前記カバー部材は、前記第１面又は前記第２面のいずれか一方を上方にした状態において、前記天板の後端部との間に前記配線収容空間と前記カバー部材の上方空間とを連通する配線挿通空間を形成するように配設され、前記第１面又は前記第２面の他方を上方にした状態において、前記天板の後端部に対して近接、又は当接するように配設されていることを特徴とする請求項２に記載の天板付き什器。
【請求項４】
前記カバー部材は、前記第２面を上方にした状態において、前記天板の後端部と前記カバー部材の前端部との間に前記配線挿通空間を形成するように配設され、
前記第１面を上方にした状態において、前記カバー部材の前端部が前記天板の後端部に対して近接、又は当接するように配設されていることを特徴とする請求項３に記載の天板付き什器。
【請求項５】
前記カバー部材の前記第１面及び前記第２面には、前後方向の中心線から前後方向にずれた位置に位置決め凹部が設けられ、
前記配線収容凹部には、前記位置決め凹部に係合する位置決め凸部が設けられ、
前記カバー部材は、
前後方向で前記位置決め凹部寄りの第１端面を前方に向けた姿勢で位置決め凹部を前記位置決め凸部に係合させたときに、前記天板の後端部との間に前記配線挿通空間が形成され、
前記第１端面を後方に向けた姿勢で位置決め凹部を前記位置決め凸部に係合させたときに、前記天板の後端部に対して近接、又は当接されることを特徴とする請求項３又は４に記載の天板付き什器。
【請求項６】
前記執務サポート部のうち少なくとも一つがペントレー機能を有していることを特徴とする請求項１乃至５のいずれか１項に記載の天板付き什器。
【請求項７】
前記執務サポート部のうち少なくとも一つがブックエンド機能を有していることを特徴とする請求項１乃至６のいずれか１項に記載の天板付き什器。
【請求項８】
前記執務サポート部のうち少なくとも一つが物品載置用の棚装置であることを特徴とする請求項１乃至７のいずれか１項に記載の天板付き什器。
【発明の詳細な説明】
【技術分野】
【０００１】
本発明は、天板付き什器に関する。
【背景技術】
【０００２】
従来、オフィスや教育施設や家庭の執務空間内においては、執務者に執務用の平面を提供するため、天板付き什器が使用されるのが一般的となっている。そして、最近では、執務においてパソコン等の電子機器を使用するのが一般的になっている。そのため、執務に使用する天板付き什器においても、電子機器に接続された配線ケーブルを体裁良く、かつ配線ケーブルの収納において使い勝手が良好であることが求められている。
【０００３】
このような天板付き什器としては、例えば特許文献１〜３に示されるように、執務用の平面である天板の後方位置に下方に凹む配線収容空間を設け、その上部をカバー部材によって閉塞した構造のものが知られている。これらの構造によれば、使用者の必要性に応じて配線収容空間内に収容したテーブルタップに電子機器の配線ケーブルを容易に接続することができるうえ、不要な配線ケーブルを配線収容空間内に収めることができることから、使用者の使い勝手および什器としての体裁を良好に収めることができる。
このような什器の配線カバーとしては、電源コンセントへのアクセス性を高めるため、カバー部材の上面に電源コンセントを組み込む方法も採用されている（例えば、特許文献４参照）。
また、天板付き什器の左右幅寸法が大きい場合には、複数のカバー部材を左右に並べて配置する構成とされ、これによりカバー部材の着脱作業が容易に行えるようになっている。
【先行技術文献】
【特許文献】
【０００４】
【特許文献１】特開２０１２−０４５１１１号公報
【特許文献２】特許第５５４５１２９号公報
【特許文献３】特許第５６２４７４８号公報
【特許文献４】特開２０１７−０８６３７７号公報
【発明の概要】
【発明が解決しようとする課題】
【０００５】
しかしながら、従来の天板付き什器では、執務者の執務をより効率的なものとするため、筆記具を収容するためのペントレーや、天板上面に書籍を立設するためのブックエンドや、執務に使用する種々の物品を載置可能とする棚装置といった、執務サポート機能を有する執務サポート部を設けることが求められる場合がある。このような要望においては、一般的に天板上にこれらの執務サポート部を載置することによって対応しているが、執務用平面である天板の上面が執務サポート部によって狭くなってしまう問題があった。
そのため、天板上で使用される電子機器に接続された配線ケーブルを体裁良く、かつ使い勝手良好に収容可能であることと、天板の上面に広い執務用平面を確保しつつ執務サポート部を設置可能とすることとをバランスよく達成できることが求められており、その点で改善の余地があった。
【０００６】
本発明は、上述する問題点に鑑みてなされたもので、天板上で使用される電子機器に接続された配線ケーブルを体裁良く、かつ使い勝手良好に収容可能であるとともに、天板上面に広い執務用平面を確保しつつ執務サポート部を設置可能とした天板付き什器を提供することを目的とする。
【課題を解決するための手段】
【０００７】
上記目的を達成するため、本発明に係る天板付き什器は、床面上に立設された支持構造体と、該支持構造体に支持された平板上の天板と、を有する天板付き什器であって、前記天板の後方位置において、下方に凹んだ配線収容空間を形成する配線収容凹部と、前記配線収容凹部の上部開口部の少なくとも一部を閉塞し、左右方向に隣り合って配設された複数のカバー部材と、を備え、前記複数のカバー部材のうち少なくとも一つの上面には、執務サポート機能を有する執務サポート部が設けられ、前記執務サポート部が設けられたカバー部材は、取り付け位置を左右方向に変更可能に設けられていることを特徴としている。
【０００８】
本発明では、複数のカバー部材のうち少なくとも一つの上面に執務サポート部が設けられており、カバー部材の取り付け位置が左右方向に変更可能とされているので、天板上で使用される電子機器に合わせてカバー部材を左右方向に交換することが可能となる。そのため、執務サポート部を好適な位置に変更することができ、電子機器に接続された配線ケーブルを配線収容空間に効果的に収容することができ、このような配線ケーブルを体裁良く、かつ使い勝手良好に収容することができる。
このようなことから、本発明では、天板の上面に広い執務用平面を確保しつつ執務サポート部を設置可能とすることができる。
【０００９】
また、本発明に係る天板付き什器は、前記カバー部材は、平板状に形成され、一方の第１面には前記執務サポート部が設けられ、他方の第２面には前記執務サポート部が設けられていない状態とされ、前記第１面及び前記第２面のどちらの面も上方に向けて取り付けることが可能に設けられていることが好ましい。
【００１０】
この場合には、執務者の要望に応じて執務サポート部を有する第１面を上方に向けて配置したり、執務サポート部が設けられていない第２面を上方に向けて配置することを、カバー部材の表裏の向きを変えるだけで容易に行うことができる。そのため、什器としての態様を変更することが可能となり、什器としての使い勝手を良好なものとすることができる。
【００１１】
また、本発明に係る天板付き什器は、前記カバー部材は、前記第１面又は前記第２面のいずれか一方を上方にした状態において、前記天板の後端部との間に前記配線収容空間と前記カバー部材の上方空間とを連通する配線挿通空間を形成するように配設され、前記第１面又は前記第２面の他方を上方にした状態において、前記天板の後端部に対して近接、又は当接するように配設されていることを特徴としてもよい。
【００１２】
この場合には、執務者の使用用途に応じて、カバー部材と天板の後端部との間に配線挿通空間を形成することが可能となるので、什器としての使い勝手を良好なものとすることができる。
【００１３】
また、本発明に係る天板付き什器は、前記カバー部材は、前記第２面を上方にした状態において、前記天板の後端部と前記カバー部材の前端部との間に前記配線挿通空間を形成するように配設され、前記第１面を上方にした状態において、前記カバー部材の前端部が前記天板の後端部に対して近接、又は当接するように配設されていることを特徴としてもよい。
【００１４】
この場合には、執務サポート部が設けられる第１面を上方にしたときに、執務サポート部を使用した場合の使い勝手を良好なものとすることができる。また、執務サポート部を使用しない箇所のカバー部材において執務サポート部が設けられていない第２面を上方に向けて配置することで天板を広く使用することが可能となることから、什器としての使い勝手を良好なものとすることができる。
【００１５】
また、本発明に係る天板付き什器は、前記カバー部材の前記第１面及び前記第２面には、前後方向の中心線から前後方向にずれた位置に位置決め凹部が設けられ、前記配線収容凹部には、前記位置決め凹部に係合する位置決め凸部が設けられ、前記カバー部材は、前後方向で前記位置決め凹部寄りの第１端面を前方に向けた姿勢で位置決め凹部を前記位置決め凸部に係合させたときに、前記天板の後端部との間に前記配線挿通空間が形成され、前記第１端面を後方に向けた姿勢で位置決め凹部を前記位置決め凸部に係合させたときに、前記天板の後端部に対して近接、又は当接されることを特徴としてもよい。
【００１６】
この場合には、カバー部材の位置決め凹部を位置決め凸部に係合させることにより、カバー部材を所望の位置に容易に配設することができ、什器としての態様も容易に変更することが可能となることから、什器としての使い勝手を良好なものとすることができる。
【００１７】
また、本発明に係る天板付き什器は、前記執務サポート部のうち少なくとも一つがペントレー機能を有していることを特徴としてもよい。
【００１８】
この場合には、執務サポート部の一つにペントレー機能をもたせることができるので、什器としての使い勝手を良好なものとすることができる。
【００１９】
また、本発明に係る天板付き什器は、前記執務サポート部のうち少なくとも一つがブックエンド機能を有していることを特徴としてもよい。
【００２０】
この場合には、執務サポート部の一つに書籍等を支持するためのブックエンド機能をもたせることができるので、什器としての使い勝手を良好なものとすることができる。
【００２１】
また、本発明に係る天板付き什器は、前記執務サポート部のうち少なくとも一つが物品載置用の棚装置であることを特徴としてもよい。
【００２２】
この場合には、執務サポート部の一つに物品載置用の棚機能をもたせることができるので、什器としての使い勝手を良好なものとすることができる。
【発明の効果】
【００２３】
本発明の天板付き什器によれば、天板上で使用される電子機器に接続された配線ケーブルを体裁良く、かつ使い勝手良好に収容可能であるとともに、天板上面に広い執務用平面を確保しつつ執務サポート部を設置することができる。
【図面の簡単な説明】
【００２４】
【図１】本発明の実施形態によるデスク装置を斜め前方から見た斜視図であって、離間位置の状態を示す図である。
【図２】図１に示すデスク装置でカバー部材を取り外した状態の斜視図である。
【図３】図１に示すデスク装置の分解斜視図である。
【図４】デスク装置を上方から見た平面図であって、カバー部材の裏面を上面に配置した離間位置の状態を示す図である。
【図５】カバー部材の平面図であって、（ａ）は表面を示す図、（ｂ）は裏面を示す図である。
【図６】デスク装置を斜め前方から見た斜視図であって、近接位置の状態を示す図である。
【図７】デスク装置を上方から見た平面図であって、カバー部材の表面を上面に配置した近接位置の状態を示す図である。
【図８】図４に示すデスク装置の斜視図であって、一部のカバー部材にブックエンドを設けた図である。
【図９】変形例によるデスク装置の構成を示す斜視図であって、執務サポート部に棚装置を用いた図である。
【図１０】図９に示す棚装置を組み付ける状態を示す斜視図である。
【図１１】棚装置を斜め下方から見た斜視図である。
【図１２】棚装置を天板に取り付ける状態を斜め後方から見た斜視図である。
【発明を実施するための形態】
【００２５】
以下、本発明の実施形態による天板付き什器について、図面に基づいて説明する。
【００２６】
図１〜図３に示す本実施形態による天板付き什器は、オフィスや教育施設や家庭などの執務空間に設けられるデスク装置１に適用したものである。
デスク装置１は、床面Ｆ上から上方に向かって立設された複数（４本）の支持脚１１（支持構造体）と、支持脚１１に支持された平板上の天板１２と、天板１２の後方位置において、下方に凹んだ配線収容空間１３Ａを形成する配線収容凹部１３と、配線収容空間１３Ａの上部開口部の少なくとも一部を閉塞するように着脱可能に設けられ、左右方向に隣り合って配設された３つのカバー部材２０と、を備えている。
【００２７】
ここで、本実施形態では、デスク装置１に向かって着席した状態での左右方向を符号Ｄｈとし、上方から見た平面視で左右方向Ｄｈに直交する方向を前後方向Ｄｆという。また、デスク装置１の前後方向Ｄｆにおいて、天板１２に向かう不図示の椅子側を前方、前側といい、その反対側（椅子から見て天板１２側）を後方、後側という。
【００２８】
支持脚１１は、天板１２の左右両側において互いに前後に離間して一対で設けられている。デスク装置１には、前側支持脚１１Ａと後側支持脚１１Ｂのそれぞれの上部同士の間を架設する前後フレーム１４が設けられ、左右方向Ｄｈに離間する後側支持脚１１Ｂ、１１Ｂの上下方向の中間部同士の間、及び下部同士の間のそれぞれを架設する一対の左右フレーム１５、１５が設けられている。前側支持脚１１Ａは天板１２の前方下面を下方から支持している。後側支持脚１１Ｂは、上端面１１ａにカバー部材２０を係止するための位置決め凸部１７が形成されている。
【００２９】
天板１２の下方には、図３及び図４に示すように、天板下ユニット１６が設けられている。天板下ユニット１６は、天板１２から下方に離間して平行に配置される下板１６１と、下板１６１に立設され天板１２の後部下面を支持する立上り壁１６２と、立上り壁１６２から後方に向けて延在する一対のカバー受け部１６３、１６３と、を有している。
下板１６１の前端部１６１ａは、天板１２の前端部１２ｂよりも後方に位置している。天板１２、下板１６１、及び立上り壁１６２によって囲まれて前方が開口部となる領域には、例えば書類や筆記用具などの物品を収納する天板下空間１６Ａが形成されている。また、下板１６１における立上り壁１６２より後方領域には、上部開口がカバー部材２０によって閉塞される上述した配線収容空間１３Ａが形成されている。すなわち、天板下空間１６Ａと配線収容空間１３Ａとは、立上り壁１６２によって区画されている。
【００３０】
一対のカバー受け部１６３、１６３は、互いに左右方向Ｄｈに離間した位置で、かつ左右方向Ｄｈに配列される３つの隣接するカバー部材２０同士の端部を受ける位置に配置されている。カバー受け部１６３は、平板状をなし、上面（受け面１６３ａ）に左右方向Ｄｈに間隔をあけて並ぶ一対の位置決め凸部１７、１７が上方に突出した状態で設けられている。一対の位置決め凸部１７、１７は、一方の位置決め凸部１７が隣接する一方のカバー部材２０に係合され、他方の位置決め凸部１７が隣接する他方のカバー部材２０が係合される。
位置決め凸部１７の前後方向Ｄｆの位置は、天板１２の後端部１２ａからの距離で、カバー部材２０の短辺方向の長さ寸法Ｗの１／２よりも長い寸法に設定されている。
【００３１】
カバー部材２０は、図２〜図４に示すように、天板１２と同等の板厚を有し、上面視においてデスク装置１に取り付けられた状態で左右方向Ｄｈに長い長方形状に形成されている。本実施形態では、３つのカバー部材２０のうち左右両側に配置されるカバー部材２０Ａ、２０Ｃの左右方向Ｄｈの幅寸法Ｄ１が同寸法であり、双方が入れ替え可能となっている。なお、左右方向Ｄｈの中央に位置するカバー部材２０Ｂは、両側のカバー部材２０Ａ、２０Ｃの幅寸法Ｄ１よりも短い幅寸法Ｄ２に設定されているため、左右の位置の設けられるカバー部材２０Ａ、２０Ｃと入れ替えて使用することができない。
また、本実施形態の別形態として、デスク装置１において、全てのカバー部材の幅寸法を同じとし、それぞれの位置を入れ替え可能とした構成であっても勿論かまわない。
【００３２】
カバー部材２０には、図１及び図４に示すように、一方の表面２０ａ（第２面）、及び他方の裏面２０ｂ（第１面）の両面に、それぞれ長手方向の両側に上述した位置決め凸部１７に係合する位置決め凹部２１が形成されている。位置決め凹部２１は、カバー部材２０の両端がカバー受け部１６３又は後側支持脚１１Ｂの上端面１１ａに載置される載置領域に設けられている。また、位置決め凹部２１は、図５（ａ）、（ｂ）に示すように、カバー部材２０の前後方向Ｄｆの中心線Ｃから前後方向Ｄｆにずれた位置に配置されている。表面２０ａと裏面２０ｂの位置決め凹部２１の前後方向Ｄｆの位置は、各面に直交する方向から見て一致している。なお、中心線Ｃに対する前後方向Ｄｆのずれ量は、デスク装置１の使用用途に応じて任意に設定することができる。
【００３３】
具体的には、図６及び図７に示すように、短辺方向で位置決め凹部２１より距離が大きくなる側の第１カバー端面２０ｃを前向きにしてカバー部材２０を位置決め凸部１７に係合させて装着したときには、第１カバー端面２０ｃが天板１２の後端部１２ａに対して近接又は当接した状態（近接位置Ｐ１）で配置される。このときには、カバー部材２０の後方に後方空間Ｓ２が形成された状態となり、天板１２とカバー部材２０とが面一で配置されるので、デスクの上面として広い面積で使用することができる。
【００３４】
一方、図１及び図４に示すように、第１カバー端面２０ｃを後向きにしてカバー部材２０を位置決め凸部１７に係合させて装着したときには、第１カバー端面２０ｃの反対側の第２カバー端面２０ｄが天板１２の後端部１２ａに対して離間することにより配線挿通空間Ｓ１が形成された状態（離間位置Ｐ２）で配置される。
【００３５】
このように、カバー部材２０における第１カバー端面２０ｃ側または第２カバー端面２０ｄ側を前側（天板１２側）に向けて配置することで、カバー部材２０は天板１２の後端部１２ａに対して近接位置Ｐ１と離間位置Ｐ２に選択的に配設される。
後方空間Ｓ２及び配線挿通空間Ｓ１は、いずれもカバー部材２０の上方と配線収容空間１３Ａとを連通する空間であり、例えば天板１２上で使用するコンピュータ等の電子機器の配線ケーブルを通過させて配線収容空間１３Ａに収容することができる。
【００３６】
カバー部材２０は、表面２０ａ及び裏面２０ｂのどちらの面を上方に向けても取り付け可能に設けられている。
【００３７】
カバー部材２０Ａ、２０Ｂ、２０Ｃの各裏面２０ｂには、図４及び図８に示すように、執務サポート機能を有する執務サポート部が設けられている。
第１カバー部材２０Ａ及び第２カバー部材２０Ｂの執務サポート部は、ブックエンド２２Ａを立設させるための複数の係止穴２２、２２、…である。係止穴２２は、両カバー端面２０ｃ、２０ｄに沿って間隔をあけて配列されている。第１カバー端面２０ｃと第２カバー端面２０ｄの一対の係止穴２２、２２に例えばコの字型のブックエンド２２Ａの下端端を差し込むことで、カバー部材２０の裏面２０ｂにブックエンド２２Ａを設けることができる。
【００３８】
第３カバー部材２０Ｃの執務サポート部は、裏面２０ｂに適宜な形状の凹凸が形成されたペン等の筆記用具を収容できるペントレー部材２３である。
そして、本実施形態では、左右両側の第１カバー部材２０Ａと第３カバー部材２０Ｃとが同じ幅寸法Ｄ１（図４参照）に設定されているので、左右方向Ｄｈの取り付け位置を変更することが可能に設けられている。
【００３９】
次に、上述したデスク装置１の作用について、図面に基づいて詳細に説明する。
本実施形態によるデスク装置１では、図１乃至図３に示すように、３つのカバー部材２０の裏面２０ｂに執務サポート部（係止穴２２、ペントレー部材２３）が設けられており、この執務サポート部（２２、２３）が配置された裏面２０ｂを上面にして配置され、カバー部材２０の取り付け位置が左右方向Ｄｈに変更可能とされているので、天板１２上で使用される電子機器に合わせてカバー部材２０を左右方向に交換することが可能となる。
そのため、執務サポート部（２２、２３）を好適な位置に変更することができ、電子機器に接続された配線ケーブルを配線収容空間１３Ａに効果的に収容することができ、このような配線ケーブルを体裁良く、かつ使い勝手良好に収容することができる。
このようなことから、本実施形態では、天板１２の上面に広い執務用平面を確保しつつ執務サポート部（２２、２３）を設置可能とすることができる。
【００４０】
また、本実施形態では、執務者の要望に応じて執務サポート部（２２、２３）を有する裏面２０ｂを上方に向けて配置したり、執務サポート部（２２、２３）が設けられていない表面２０ａを上方に向けて配置することを、カバー部材２０の表裏の向きを変えるだけで容易に行うことができる。そのため、什器としての態様を変更することが可能となり、什器としての使い勝手を良好なものとすることができる。
【００４１】
さらに、本実施形態では、カバー部材２０が表面２０ａ又は裏面２０ｂを上方にした状態において、天板１２の後端部１２ａとの間に配線挿通空間Ｓ１を形成するように配設され、天板１２の後端部１２ａに対して近接、又は当接するように配設される構成であるから、執務者の使用用途に応じて、カバー部材２０と天板１２の後端部１２ａとの間に配線挿通空間Ｓ１を形成することが可能となるので、什器としての使い勝手を良好なものとすることができる。
【００４２】
また、本実施形態では、執務サポート部（２２、２３）が設けられる裏面２０ｂを上方にしたときに、執務サポート部（２２、２３）を使用した場合の使い勝手を良好なものとすることができる。また、執務サポート部（２２、２３）を使用しない箇所のカバー部材において執務サポート部（２２、２３）が設けられていない表面２０ａを上方に向けて配置することで天板１２を広く使用することが可能となることから、什器としての使い勝手を良好なものとすることができる。
【００４３】
さらに、本実施形態では、図８に示すように、カバー部材２０の少なくとも一つがペントレー機能を有するペントレー部材２３であり、係止穴２２にブックエンド２２Ａを固定させてブックエンド機能を有するものであるから、什器としての使い勝手を良好なものとすることができる。
【００４４】
上述のように本実施形態によるデスク装置１では、天板１２上で使用される電子機器に接続された配線ケーブルを体裁良く、かつ使い勝手良好に収容可能であるとともに、天板１２の上面に広い執務用平面を確保しつつ執務サポート部（２２、２３）を設置することができる。
【００４５】
（変形例）
図９〜図１２に示す変形例によるデスク装置１は、執務サポート部によって構成され、物品載置用の棚装置３０を採用したものである。
棚装置３０は、デスク装置１のカバー受け部１６３、支持脚１１の上端面１１ａに載置されて配線収容空間１３Ａの上部開口部の一部を閉塞するカバー部材３１と、カバー部材３１の一方の面（上面３１ａ）に設けられた棚本体３２（執務サポート部）と、を備えている。すなわち、本変形例では、棚機能を有する棚本体３２をカバー部材３１に予め固定して一体的に設けておき、カバー部材３１の装着とともに棚本体３２も設置されるようになっている。
【００４６】
図１１に示すように、カバー部材３１の下面３１ｂには、前方に向けて突出する板状の一対の接続片３３、３３と、長手方向（左右方向Ｄｈ）の両端部に位置決め凸部１７に対してスライド可能に係合され、前後方向Ｄｆに延びるスライド溝３４と、を有している。接続片３３は、突出部分にボルト穴３３ａが形成されており、天板１２の後端側下面１２ｅに配置された状態で、図１２に示す固定ねじ３３Ａによってボルト穴３３ａを介して天板１２の裏面に固定されている。
【００４７】
棚本体３２は、図１１に示すように、一対の側板３５、３５と、一対の側板３５、３５の後端同士を連結する背面板３６と、一対の側板３５、３５及び背面板３６に支持された棚板３７と、を有している。カバー部材３１の上面３１ａには、一対の側板３５、３５の後端側が載置されて固定されている。側板３５や棚板３７はカバー部材３１の前端３１ｃよりも前方に張り出し、この側板３５の張出部分は天板１２上に載置された状態となる。背面板３６は、カバー部材３１の上面３１ａから上方に間隔をあけて配置されている。
【００４８】
このように構成される棚装置３０を、デスク装置１の天板１２に設置する際には、図１０及び図１１に示すように、所定の取り付け位置において、位置決め凸部１７に対してカバー部材３１のスライド溝３４を嵌めた後、棚装置３０全体を前方にスライドさせる。そして、カバー部材３１の前端３１ｃが天板１２の後端部１２ａに対して当接、又は離間した位置で固定ねじ３３Ａによって接続片３３を天板１２の後端側下面１２ｅに予め設けられている雌ねじ（図示省略）に締め付けて固定する。
【００４９】
変形例による棚装置３０を設けることで、執務サポート部の一つに物品載置用の棚機能をもたせることができるので、什器としての使い勝手を良好なものとすることができる。本変形例では、図９に示すように、カバー部材３１の前端３１ｃが天板１２の後端部１２ａに当接する位置（近接位置Ｐ１）となるので、カバー部材３１の後方に配線挿通空間Ｓ１が形成されることになる。
【００５０】
以上、本発明による天板付き什器の実施形態について説明したが、本発明は上記の実施形態に限定されるものではなく、その趣旨を逸脱しない範囲で適宜変更可能である。
【００５１】
例えば、本実施形態では、カバー部材２０の一方の面（裏面２０ｂ）に設けられる執務サポート部としてブックエンド機能をもたせるための係止穴２２やペントレー機能を有するペントレー部材２３、或いは変形例による棚機能をもたせた棚本体３２を採用しているが、これに限定されることはなく、他の機能を有する執務サポート部を採用することも可能である。
なお、執務サポート部の機能としては、デスク装置１の卓上における執務であってればよい。すなわち、上述した係止穴２２、ペントレー部材２３、及び棚本体３２は、いずれも収納機能を有する執務サポート部であるが、他の機能をもつ執務サポート部を採用することも可能である。例えば、カレンダーや時間、スケジュール等を表示する表示機能を有する執務サポート部を採用してもよい。
【００５２】
また、デスク装置１の形状、寸法、数量等の構成については、本実施形態に限定されることはなく、適宜設定することができる。
例えば本実施形態では、天板１２を支持する支持構造体として棒状の支持脚１１Ａ、１１Ｂとしているが、左右一対の板材によって天板１２を支持するような支持構造体であってもかまわない。
また、カバー部材２０の寸法や数量も、本実施形態に限定されることはなく、適宜設定することができる。
【００５３】
さらに、本実施形態では、複数のカバー部材を左右方向Ｄｈに隣接させた状態で配置されているが、隣り合うカバー部材同士が間隔をあけて配置されていてもよい。
【００５４】
その他、本発明の趣旨を逸脱しない範囲で、上記した実施形態における構成要素を周知の構成要素に置き換えることは適宜可能である。
【符号の説明】
【００５５】
１  デスク装置（天板付き什器）
１１  支持脚（支持構造体）
１１ａ  上端面
１２  天板
１２ａ  後端部
１２ｂ  前端部
１３  配線収容凹部
１３Ａ  配線収容空間
１６  天板下ユニット
１７  位置決め凸部
２０、２０Ａ、２０Ｂ、２０Ｃ  カバー部材
２０ａ  表面（第２面）
２０ｂ  裏面（第１面）
２１  位置決め凹部
２２  係止穴（執務サポート部）
２３  ペントレー部材（執務サポート部）
３０  棚装置
３１  カバー部材
３１ａ  上面
３１ｃ  前端
３２  棚本体（執務サポート部）
１６３  カバー受け部
Ｃ  中心線
Ｄｈ  左右方向
Ｄｆ  前後方向
Ｆ  床面
Ｐ１  近接位置
Ｐ２  離間位置
Ｓ１  配線挿通空間
Ｓ２  後方空間  
【図１】
2019201739.tif 000003
【図２】
2019201739.tif 000004
【図３】
2019201739.tif 000005
【図４】
2019201739.tif 000006
【図５】
2019201739.tif 000007
【図６】
2019201739.tif 000008
【図７】
2019201739.tif 000009
【図８】
2019201739.tif 000010
【図９】
2019201739.tif 000011
【図１０】
2019201739.tif 000012
【図１１】
2019201739.tif 000013
【図１２】
2019201739.tif 000014